(57)【要約】      （修正有）【課題】重力を利用し、発電の為の必要動力を軽減する。【解決手段】整合弾性体装置１の利用、及び重量物３の均衡取付により、大回転体６の回転時の作動負荷を軽減し、重量物３の重力により回転作動を起こし、発電機９を作動させ発電する。大回転体６に歯車５を設け、歯車４と噛み合わせる。歯車４に整合弾性体装置１と重量物３を均衡して取付け、大回転体軸７に発電機９を接続する。釣合い状態となった大回転体６を水力、火力、電動などで回転させる。これにより回転を続け、発電を続ける重力発電機を構成する。【選択図】図１
2004274984.tif 000002
【特許請求の範囲】
【請求項１】
（イ）軸を中心に、又はその他の方法により回転する大回転体を設け、この大回転体に、自らの軸を中心に回転する、歯車、又は小回転体を取付け、小回転体を取付けた場合はその軸に更に歯車を取付ける。歯車又は小回転体に重量物を取付ける。
（ロ）複数の弾性体を、回動可能な複数の取付器具に取付けて、周回連繋した機構の装置を設け、この装置の弾力が、上記イ記載の大回転体に生ずる重量物やその他によって生ずる主として重量による回転の際の作動負荷と、釣合い状態、又は強弱の割合の一定範囲の同一、を保ち得る機構の装置（以下この装置を整合弾性体装置と称する）とする。又は単体の弾性体を利用し同一の機構の装置とする。
（ハ）ロ記載の装置により、釣合い状態等となった大回転体を、火力、水力、電動、又はその他の方法で回転させる機構とする。
（ニ）コイル、永久磁石又は電磁石（以下単に磁石と称する）、を利用する回転式又はその他の方式の発電機を設け、上記イ記載の歯車との接触により回転する小歯車を設けこの小歯車の軸の回転によりこの発電機を作動させ発電させる機構とする。
以上の様な機構により、大回転体の回転により重量物を上にした歯車又は小回転体は、重量物の重力により半回転し、その軸により発電機を作動させる。
次に大回転体の半回転により再び重量物を上にした歯車又は小回転体は半回転し、更なる大回転体の半回転により作動始めの状態に戻る。この様にして回転を続け、発電を続ける様に構成された、重力発電機。
【請求項２】
（イ）請求項１、イ記載の大回転体同様、大回転体を設け、この大回転体に、自らの軸を中心に回転する、小歯車を設け、この小歯車を回転させる為の左右両側歯付きの棒状の板を設け、この棒状の板に重量物を取付ける。
（ロ）請求項１、ロ、記載同様の装置を設け、その弾力が、イ記載の大回転体の回転の際の作動負荷と釣合い状態、又は強弱の割合の一定範囲の同一、を保ち得る機構とする。
（ハ）イ、記載の歯付き棒状の板は、上下動及び左右移動可能な装置とする。
（ニ）請求項１、ニ、記載同様の発電機を設け、この発電機は、イ記載の小歯車の軸の回転により作動させ発電させる機構とする。
（ホ）イ、記載の大回転体は、火力、水力、電動、又はその他の方法で回転させる機構とする。
以上の様な機構により、棒状の板に取付けた重量物の重力により棒状の板は落下し、その歯で小歯車を廻し、大回転体が小歯車とは逆方向に半回転して棒状の板を反体側に落下移動させ、次の半回転によりこの板は小歯車を回転し乍ら落下し、次の半回転によりこの板は反対側に落下して作動始めの状態に戻る。この様にして発電を続ける様に構成された重力発電機。
【請求項３】
（イ）請求項１、イ、記載同様の大回転体に、数個又は多数の小回転体を、大回転体の重量の均衡を保つ機構に設ける。
（ロ）各小回転体に同重量の重量物を取付ける。
（ハ）重量物による小回転体の回転により、コイル、磁石を利用する発電機を作動させ発電する機構とする。
（ニ）イ、記載の大回転体は、火力、水力、電動、又はその他の方法で回転させる機構とする。
以上の様な機構により、大回転体を回転させることにより重量物を上にした小回転体が回転し、大回転体が回転する毎に小回転体が回転して発電を続ける様に構成された重力発電機。
【請求項４】
（イ）請求項１、イ、記載同様の大回転体に、その円にそって一定範囲を落下する多くの重量物を設け、その重量物の配置位置、落下移動後の位置総べての場合に、大回転体の回転に影響する重量の均衡を維持する機構とする。
（ロ）請求項１、ニ、記載同様の発電機を設け、歯車軸の回転が発電機を作動させる機構の歯車を設け、イ、記載の重量物の、円にそった落下によりこの歯車を回転させる機構とする。
（ハ）イ、記載の大回転体の回転は、火力、水力、電動、又はその他の方法による機構とする。
以上の様な機構により大回転体を回転させることにより、重量物を円にそって落下させて歯車を回転させ、大回転体が半回転する事により落下した重量物は歯車に影響を与える事なく元の位置に戻り、更なる回転により作動始めの状態となり発電を続ける様に構成された重力発電機。
【請求項５】
（イ）請求項３、イ、記載同様の大回転体を設け、その大回転体自体に一個の重量物を設ける。
（ロ）請求項１、ロ、記載同様の装置を設け、その弾力が、大回転体自体に設けた重量物により回転する大回転体の作動力と、釣合い状態、又は強弱の割合の一定範囲の同一、を保つ機構とする。
（ハ）イ、ロ、の機構を追加する以外は総べて、請求項３のイ、ロ、ハ、ニ、同様の機構とする。
以上の様な機構により、大回転体の重量の均衡を、上方に引上げる張力との釣合い状態等に変え、回転を滑らかにし、その回転により発電を続ける機構とする。
【請求項６】
（イ）請求項４、イ、記載同様の大回転体を設け、その大回転体自体に一個の重量物を設ける。
（ロ）請求項１、ロ記載同様の装置を設け、その弾力が、回転する大回転体の作動力と、釣合い状態、又は強弱の割合の一定範囲の同一、を保つ機構とする。
（ハ）イ、ロ、の機構を追加する以外は総べて、請求項４のイ、ロ、ハ、同様の機構とする。
以上の様な機構により、大回転体の回転を滑らかにし発電する機構とする。
【発明の詳細な説明】
【０００１】
【産業上の利用分野】
この発明は発電機の分野に利用する。
【０００２】
【従来の技術】
整合弾性体装置  特開２００１−３２７６３
発電機関係      特願２００１−１５１７３２
上  同        特願２００２−３４４６６９
【０００３】
【発明が解決しようとする課題】
重力を利用し発電を容易にすることである。
【０００４】
【課題を解決する為の手段】
整合弾性体装置及び重力を利用する。
【０００５】
【作用】
作動の際の動力を軽減する。
【０００６】
【実施例１】
図１、及び図２は請求項１の実施例である。図２の場合は大回転体の回転はクランクを利用し、２、はクランク軸を示す。８は、５の回転や停止に応じ、噛み合ったり離れたりを電磁石等により行い、発電機の作動に支障が無い様にする
【０００７】
【実施例２】
図３は、請求項２の実施例である。
【０００８】
【実施例３】
図４は、請求項３の実施例である。図８は、請求項３及び請求項５の小回転体の回転により、その軸の回転により歯車４を回転し、小歯車５を回転させる歯車部分の機構を示す図である。５の軸の回転により発電機を作動させる。
【０００９】
【実施例４】
図６は、請求項４の実施例であり、歯車４が回転し、その軸の回転により発電機を作動させる
【０００１０】
【実施例５】
図５は、請求項の実施例である。
【０００１１】
【実施例６】
図７は、請求項６の実施例である。
【０００１２】
【発明の効果】
必要動力を軽減し、環境破壊を少なくする
【図面の簡単な説明】
【図１、図２】請求項１の発電装置
【図３】請求項２の発電装置
【図４】請求項３の発電装置
【図５】請求項５の発電装置
【図６】請求項４の発電装置
【図７】請求項６の発電装置
【図８】請求項３、請求項５の発電装置の機構を示す図
【符号の説明】
１、整合弾性体装置
２、大回転体を回転させる為のクランク装置の軸
３、重量物
４  歯車
５  小歯車
６  大回転体
７  大回転体軸
８  着脱装置
９  発電機
１０小回転体
１１歯付きの棒状板
１２先端歯付きの板
１３重量物の移動溝
【図１】
2004274984.tif 000003
【図２】
2004274984.tif 000004
【図３】
2004274984.tif 000005
【図４】
2004274984.tif 000006
【図５】
2004274984.tif 000007
【図６】
2004274984.tif 000008
【図７】
2004274984.tif 000009
【図８】
2004274984.tif 000010
【手続補正書】
【提出日】平成15年6月9日(2003.6.9)
【手続補正１】
【補正対象書類名】明細書
【補正対象項目名】図面の簡単な説明
【補正方法】変更
【補正の内容】
【図面の簡単な説明】
【図１】請求項１の発電装置
【図２】請求項１の発電装置
【図３】請求項２の発電装置
【図４】請求項３の発電装置
【図５】請求項５の発電装置
【図６】請求項４の発電装置
【図７】請求項６の発電装置
【図８】請求項３、請求項５の発電装置の機構を示す図
【符号の説明】
１    整合弾性体装置
２    大回転体を回転させる為のクランク装置の軸
３    重量物
４    歯車
５    小歯車
６    大回転体
７    大回転体軸
８    着脱装置
９    発電機
１０  小回転体
１１  歯付きの棒状板
１２  先端歯付きの板
１３  重量物の移動溝